(57)【要約】【課題】青カビなど青変菌の侵入した変色木材は、従来汚染材として扱われ、表面材としては使われることはなく、廃棄されることが多く商品価値はほとんどない。本発明は、この変色木材を再生し、活用するものである。【解決手段】変色部分のみに着色、染色加工を施すことにより汚染部分を装飾し、従来処分されていた素材を有効資材として様々な商品に活用することができる。【選択図】図１
2018012213.tif 000002
【特許請求の範囲】
【請求項１】
カビにより変色した木材の表面をスキャナーにより読み取り、前記変色した部分を含む前記木材の表面部分にプリンターを用いて着色処理することを特徴とする変色木材の着色・装飾方法。
【請求項２】
変色した木材の表面をスキャンして得た画像データを画像処理ソフトで読み込み、近似色選択を画像上で特定し、得られた変色部のデータをプリンターに転送し、前記木材に着色印刷することにより、変色部分を含む木材の表面部分に着色・装飾する方法。
【請求項３】
前述のプリンターはUVプリンターであり、紫外線硬化インクにより着色処理することを特徴とする請求項１、又は２に記載の変色木材の着色・装飾方法。
【発明の詳細な説明】
【技術分野】
【０００１】
この発明は、青カビ・黒カビなどの菌が侵入して変色した木材の着色・装飾方法に関する。          
【背景技術】
【０００２】
従来、青カビなどの侵入した変色木材は汚染素材として扱われ、廃棄または表面材として使う場合は漂白処理などにより消し去り使用している。
【０００３】
ところで特に青カビ、黒カビ等の青変菌は木材の中に侵入して内部の木材組織中を深く汚染することが知られており、このような青変菌による汚染は、青いメラミン色素が沈着、変色することからブルーステインと称されている。
【０００４】
次に木材保護塗料や防カビ、木質建材のリニューアルなどに関する従来技術について説明する。
【０００５】
特許文献１の木材保護塗料では木材防腐防カビ剤と木材防虫剤と、被膜形成成分と、赤色酸化鉄、黄色酸化鉄およびカーボンブラックからなる群から選ばれる少なくとも１種の顔料と溶剤とを含有させる。これにより、長期に亘って屋外曝露しても経時的に生じる焼けの発生を抑制でき、木材の変色を防止して、良好な外観を維持することができる。
【０００６】
文献１の技術は木材保護塗料に防カビ、防虫剤、および顔料を含有させることにより、木材の良好な外観を維持させることを目的としているもので、既にカビの侵入している木材を再生使用するものではない。
【０００７】
特許文献２のフローリング等木質建材のリニューアル工法では、住居や建造物で使用されたフローリング等の木質材をリニューアル処理して“再生”し、特殊なコーティング処理によって機能強化を図る施工方法を提供する。手段として塗装剥離、シミ・カビ抜き、キズ補修、凹み・穴埋め、着色の再生処理を最適な材料と方法によって選択的に順次経てリニューアル再生し、さらに最終処理工程としてシリコン及びＵＶ照射硬化アクリルを用いたコーティング処理加工を実施することにより、より長期間再使用することを可能としている。                                                          
【０００８】
文献２に記載の従来技術はＵＶ照射硬化の顔料を用いたコーティング処理を木材に施す点については、本工法に関する内容との類似性があるが、シミ・カビを脱汚技術により除去することを特徴としており、シミ・カビを除去することなく、良好な外観を作り出して、変色木材を再生するものではない。
【０００９】
特許文献３のトリアジメホンおよび/またはトリアジメノールと銅化合物とをベースとする新規相乗的混合物は、工業材料、特に木材を生物学的ペストによる、特に木材腐朽菌による攻撃、損傷および/または破壊から保護するのに非常に好適である。
【００１０】
文献３に記載の従来技術は木材の保護用の殺菌・殺カビ混合剤であり、一旦カビが発生した木材の再生使用方法を提案するものではない。
【００１１】
特許文献４の変色木材の漂白方法は木材素地の損傷を防ぎつつ、木材の内部組織に深く侵入した青カビ等のカビによるブルーステインの除去を効果的に行うことのできる、経済的な木材漂白技術を提供している。
【００１２】
文献４に記載の従来術はカビにより変色した木材を素地を損傷させることなく処理することにより利用可能なものにするが、変色した青変菌の侵入した部分を漂白により除去するものであり、変色部分を除去せずに美的要素として再生するものではない。
【先行技術文献】
【特許文献】
【００１３】
【特許文献１】特開２００５−１４５９０９号公報（特許第３５２４５                            ４８号）
【特許文献２】特開２０１３−５３５００号公報
【特許文献３】特表２００９−５０７７９７号公報
【特許文献４】特開２００８−１６８５１４号公報
【発明の概要】
【発明が解決しようとする課題】
【００１４】
青カビ、黒カビ等の青変菌の侵入していない木材に比べると、汚染材は漂白処理を施す為にかかる費用と時間の問題から結局は素材として活用されず、強度上、衛生上、資材としては問題がないにも関わらず廃棄されることが多い。
【００１５】
特許文献１の技術はいずれもカビなどの汚染を事前に防止するものであり、
特許文献２，３，４の技術はカビなどによる汚染部分の消去を目的としたものであり、
素材として活用する前処理の方法である。この処理の後に塗装などの表面処理を行う事を前提としたものであるので、その分、2重の手間とコストがかかるという問題がある。
本発明はカビなどの汚れを消去する必要がなく、カビなどの汚染部分の上に蓋をするように着色、または染色することにより、手間を省くのみならず、カビなどの汚染部分に美的価値を見い出し、カビそのものの持つ自然な風合いを消し去らずに色味を変えることにより美化し、新たな商品価値を付けることを目的とするものである。
【課題を解決するための手段】
【００１６】
本発明は上記目的を達成するために木材表面のカビ部分をスキャナーで読み込みコンピューター等で画像処理を行うことなどにより、青変菌などによる汚染部分のみを選択し、その部分のみにＵＶプリンターなどで色や柄などを着色、または染色することである。
【発明の効果】
【００１７】
上述したように本発明によれば、従来、商品価値を持たず廃棄されていたり、変色部分を消去していて利用していた青カビ、黒カビなどの青変菌の侵入した変色木材が美化され、有効再生資源として様々な木製品に活用できる。
【図面の簡単な説明】
【００１８】
【図１】本発明の実施形態を示す斜視図。
【図２】本発明の実施形態を示す斜視図。
【図３】従来のカビなどの青変菌の侵入した木材の斜視図。
【図４】本発明の実施形態を示す斜視図。
【図５】本発明の実施形態を示す断面図。
【発明を実施するための形態】
【００１９】
本発明の実施の形態を図１〜図５に基づいて説明する。                                              
【００２０】
青カビ、黒カビなどの青変菌の侵入によって材面１が灰青色〜黒青色に変色２する。主にマツ科の針葉樹に発生するが腐朽菌ではないので、製材した後に青変が進行することはなく、木材の強度にも影響しない。 
【００２１】
また衛生上、問題のないことは技術試験場での科学実験をとおして証明済みである。青カビ材、またはブルーステイン、ブルーステイン材などと呼ばれている。
【００２２】
青変菌の侵入した木材は、資材としての性能上は全く支障がないにも関わらず、外観上の問題から使用されずに廃棄されることが多く、利用されている場合においては、化学薬品を使用してカビを消去していたり、利用の範囲が非常に限定されている。
【００２３】
本発明では、木材の表面全てに着色・染色加工を施すのではなく、そのカビの汚染部分２のみを画像処理ソフトを用いて選択し、その画像データをＵＶプリンターに移し着色・染色する。
【００２４】
スキャナーを使用し木材表面を画像データとして読み込み、その画像データを画像処理ソフトに移す。画像処理ソフトで汚染部分独自の色味と汚染されていない木材部分の色味と区別するために、汚染部分の色と同色・近似する色を、読み込んだ木材表面全体の画像データから区別・選択し、着色・装飾する部分を決定する。類似する色の範囲は画像処理ソフトの近似色の選択機能の設定を調整することで決定する。
【００２５】
着色・装飾する部分を選択した画像データをＵＶプリンターに取り込み、着色・装飾する色・柄を決定し、プリントする。
【００２６】
着色する部分が汚染部分に限定することができるので、使用するインク、顔料の量は少なく、全面に塗装を施し汚染部分を覆い隠す方法に比べ経済的である。 
【００２７】
また半透明の顔料を使うことで青カビ、黒カビの持つ色合いを完全に消し去ることなく、その自然の風合いを最大限に生かす形で美しさを引き出す事を目的としたものである。また、木材の素地を損傷させない優れた方法である。
【００２８】
ＵＶプリンターを使用する場合のＵＶインク３は、ヘッドから射出されてメディアに付着した後、強い紫外線を照射することで硬化させメディアに定着させる顔料系インクであり、出力時にはもう乾燥しているため、制作納期の大幅な短縮を実現することが可能である。またUV硬化による堅牢な仕上がりが期待できる。
【００２９】
着色部分は汚染部分を含む範囲であるが、着色部分と不着色部分の境界は鮮明に分けることも、グラデーション着色4で不着色の部分に馴染ませることもできる。また、汚染部分以外の範囲にも着色部分を増やすことで美的に装飾することもできる。
【００３０】
汚染部分を含む部分の着色は単色・多色または柄や商標などの文字を入れることもできる。
【００３１】
着色・装飾加工は木材表面の汚染部分以外にも施すことができる。汚染部分以外の部分の着色・装飾５は単色・多色または柄や商標などの文字とすることもできる。
【００３２】
以上説明した工程により、変色木材１の変色が着色加工３され、美しい木材表面を得ることができるが、より堅牢な仕上がりを実現するために着色後に更に上塗りする形でＵＶプリンターを用いてクリヤー顔料を射出することができる。
【００３３】
また、ＵＶプリンターは厚みのある素材への印刷が可能であるので、様々な厚みの部材への着色や印刷が可能である。
【００３４】
以上のように、本実施形態によれば従来廃棄されていた汚染素材に商品価値を持たせることができ、このような処置をした木材は、家具、建築内装材、工芸品の原料として広く利用することができる。
【符号の説明】
【００３５】
１  カビなどの青変菌の侵入した木材
２  カビなどの青変菌
３  ＵＶプリンター用のカラーインクなどの顔料、または染料
４  グラデーション着色
５  汚染部分以外の着色・装飾                                                        
【図１】
2018012213.tif 000003
【図２】
2018012213.tif 000004
【図３】
2018012213.tif 000005
【図４】
2018012213.tif 000006
【図５】
2018012213.tif 000007